(57)【要約】【課題】【解決手段】アンテナは、ｉ）対向する第１の側及び第２の側と、ｉｉ）導電性ビアと、を有する誘電材料を含む。第１の平面導電素子は、誘電材料の第１の側にあって、ｉ）少なくとも１つの閉鎖スロットと、ｉｉ）導電性ビアへの電気的接続部と、を有する。第２の平面導電素子は、誘電材料の第１の側にある。第１及び第２の平面導電素子はそれぞれ、第１の平面導電素子を第２の平面導電素子から電気的に絶縁する間隙に隣接させて配置されている。マイクロストリップ送電線は前記誘電材料の第２の側にあり、導電性ビアに電気的に接続すると共に、導電性ビアから間隙を通って、第２の平面導電素子の下へと延在する経路を有する。第２の平面導電素子はマイクロストリップ送電線に対する基準面を提供する。【選択図】図１
2013527669.tif 000002
【特許請求の範囲】
【請求項１】
ｉ）対向する第１の側及び第２の側と、ｉｉ）導電性ビアと、を有する誘電材料と、
前記誘電材料の前記第１の側にあって、ｉ）少なくとも１つの閉鎖スロットと、ｉｉ）前記導電性ビアへの電気的接続部と、ｉｉｉ）第１の中心周波数を中心とする第１の周波数範囲にわたって共鳴させることができる外形的特徴と、を有する第１の平面導電素子と、
前記誘電材料の前記第１の側にある第２の平面導電素子であって、前記第１及び第２の平面導電素子をそれぞれ、前記第１の平面導電素子を前記第２の平面導電素子から電気的に絶縁する間隙に隣接させて配置し、前記第２の平面導電素子は第２の中心周波数を中心とする第２の周波数範囲にわたって共鳴させることができる外形的特徴を有する、前記第２の平面導電素子と、
前記誘電材料の前記第２の側にあるマイクロストリップ送電線であって、前記導電性ビアに電気的に接続すると共に、前記導電性ビアから前記間隙を通って、前記第２の平面導電素子の下へと延在する経路を有する、前記マイクロストリップ送電線と、を含み、前記第２の平面導電素子が前記マイクロストリップ送電線に対する基準面を提供する、アンテナ。
【請求項２】
前記誘電材料がＦＲ４を含む、請求項１に記載のアンテナ。
【請求項３】
前記第２の平面導電素子がホールを有し、前記誘電材料がホールを有し、前記第２の平面導電素子におけるホールと前記誘電材料におけるホールを心合わせした、請求項１に記載のアンテナ。
【請求項４】
前記第２の平面導電素子におけるホールを、前記誘電材料におけるホールよりも大きくすることによって、前記誘電材料におけるホールに隣接する前記誘電材料の前記第１の側が露出した、請求項３に記載のアンテナ。
【請求項５】
中心導体と、導電性シースと、前記中心導体を前記導電性シースから分離する誘電体とを有する同軸ケーブルをさらに含み、前記中心導体が、前記第２の平面導電素子におけるホールと前記誘電材料におけるホールを通って延出し、前記中心導体が、前記マイクロストリップ送電線に電気的に接続し、前記導電性シースが前記第２の平面導電素子に電気的に接続する、請求項３に記載のアンテナ。
【請求項６】
前記アンテナが、前記第１の平面導電素子から前記第２の平面導電素子まで延在する長さを有し、前記長さは前記間隙を横断し、
前記アンテナが前記長さに垂直な幅を有し、
前記同軸ケーブルが、前記アンテナの前記幅に平行な経路を取り、前記同軸ケーブルが、前記導電性シースを前記第２の平面導電素子に電気的に接続することによって、前記経路に沿って付勢される、請求項５に記載のアンテナ。
【請求項７】
前記マイクロストリップ送電線の前記経路が、前記第２の平面導電素子の下で方向を変える、請求項１に記載のアンテナ。
【請求項８】
前記アンテナが、前記第１の平面導電素子から前記第２の平面導電素子まで延在する長さを有し、前記長さは前記間隙を横断し、
前記アンテナが、前記長さに垂直な幅を有し、
前記マイクロストリップ送電線の前記経路が、前記長さに平行に前記間隙を横断し、その後方向を変えて前記幅に平行に延在する、請求項１に記載のアンテナ。
【請求項９】
前記第１の平面導電素子と前記第２の平面導電素子が金属製である、請求項１に記載のアンテナ。
【請求項１０】
前記少なくとも１つの閉鎖スロットが、少なくとも２つの閉鎖スロットを含む、請求項１に記載のアンテナ。
【請求項１１】
前記少なくとも１つの閉鎖スロットが、スロット外周を有する閉鎖スロットを含み、前記スロット外周は４つより多いエッジを有する、請求項１に記載のアンテナ。
【請求項１２】
前記第２の平面導電素子が、エッジの数が４つより多い外周を有する、請求項１に記載のアンテナ。
【請求項１３】
前記第２の平面導電素子の一部が角状の形状を有する、請求項１に記載のアンテナ。
【請求項１４】
前記誘電材料が複数の導電性ビアを有し、前記導電性ビアが１つであり、前記複数の導電性ビアの各々は、接続位置において他の導電性ビアと近接配置され、
前記マイクロストリップ送電線及び前記第１の平面導電素子の各々が、前記複数の導電性ビアの各々と電気的に接続された、請求項１に記載のアンテナ。
【請求項１５】
前記誘電材料上に無線機をさらに含み、前記マイクロストリップ送電線が前記無線機に電気的に接続された、請求項１に記載のアンテナ。
【請求項１６】
前記無線機が前記誘電材料の前記第２の側にある、請求項１５に記載のアンテナ。
【請求項１７】
前記無線機が集積回路を含む、請求項１５に記載のアンテナ。
【請求項１８】
前記第１の周波数範囲と前記第２の周波数範囲が重複しない、請求項１に記載のアンテナ。
【請求項１９】
前記第１の周波数範囲と前記第２の周波数範囲が重複する、請求項１に記載のアンテナ。
【請求項２０】
ｉ）対向する第１の側及び第２の側と、ｉｉ）導電性ビアとを有する誘電材料と、
前記誘電材料の前記第１の側にあって、ｉ）少なくとも１つの閉鎖スロットと、ｉｉ）前記導電性ビアへの電気的接続部と、を有する第１の平面導電素子と、
前記誘電材料の第１の側にある第２の平面導電素子であって、前記第１及び第２の平面導電素子をそれぞれ、前記第１の平面導電素子を前記第２の平面導電素子から電気的に絶縁する間隙に隣接させて配置する、前記第２の平面導電素子と、
前記誘電材料の第２の側にあるマイクロストリップ送電線であって、前記導電性ビアに電気的に接続すると共に、前記導電性ビアから前記間隙を通って、前記第２の平面導電素子の下へと延在する経路を有する、前記マイクロストリップ送電線、とを含み、前記第２の平面導電素子が前記マイクロストリップ送電線に対する基準面を提供する、アンテナ。
【請求項２１】
前記誘電材料上に無線機をさらに含み、前記マイクロストリップ送電線が前記無線機に電気的に接続された、請求項２０に記載のアンテナ。
【発明の詳細な説明】
【技術分野】
【０００１】
本発明は、複数の平面導電素子を有し、その内の１つがスロットを備えるアンテナに関する。
【背景技術】
【０００２】
ダイポールアンテナは、高周波を送受信するのに有用なアンテナである。しかし、ダイポールアンテナは１つの周波数帯域でのみ動作するため、複数の帯域で動作するアンテナが必要となる場合がある。例えば、複数の帯域で動作するアンテナは、ワイマックス（ＷｉＭａｘ：マイクロ波アクセスのための世界規模の相互運用）、超広帯域無線（ＵＷＢ）、ワイヤレス・フィデリティ（Ｗｉ−Ｆｉ）、ジグビー（ＺｉｇＢｅｅ）、及びロング・ターム・エボリューション（ＬＴＥ）で必要となることが多い。
【発明の概要】
【課題を解決するための手段】
【０００３】
一実施形態では、アンテナは、ｉ）対向する第１の側及び第２の側と、ｉｉ）導電性ビアと、を有する誘電材料を含む。第１の平面導電素子は、前記誘電材料の前記第１の側にあって、ｉ）少なくとも１つの閉鎖スロットと、ｉｉ）前記導電性ビアへの電気的接続部と、ｉｉｉ）第１の中心周波数を中心とする第１の周波数範囲にわたって共鳴させることができる外形的特徴と、を有する。第２の平面導電素子もまた、前記誘電材料の前記第１の側にある。前記第１及び第２の平面導電素子はそれぞれ、前記第１の平面導電素子を前記第２の平面導電素子から電気的に絶縁する間隙に隣接させて配置されている。前記第２の平面導電素子は第２の中心周波数を中心とする第２の周波数範囲にわたって共鳴させることができる外形的特徴を有する。マイクロストリップ送電線は前記誘電材料の前記第２の側にある。前記マイクロストリップ送電線は、前記導電性ビアに電気的に接続すると共に、前記導電性ビアから前記間隙を通って、前記第２の平面導電素子の下へと延在する経路を有する。前記第２の平面導電素子は前記マイクロストリップ送電線に対する基準面を提供する。
【０００４】
別の実施形態では、アンテナは、ｉ）対向する第１の側及び第２の側と、ｉｉ）導電性ビアとを有する誘電材料を含む。第１の平面導電素子は前記誘電材料の前記第１の側にある。前記第１の平面導電素子は、ｉ）少なくとも１つの閉鎖スロットと、ｉｉ）前記導電性ビアへの電気的接続部と、を有する。第２の平面導電素子は前記誘電材料の第１の側にある。前記第１及び第２の平面導電素子の各々は、前記第１の平面導電素子を前記第２の平面導電素子から電気的に絶縁する間隙に隣接させて配置されている。マイクロストリップ送電線は前記誘電材料の第２の側にある。前記マイクロストリップ送電線は、前記導電性ビアに電気的に接続すると共に、前記導電性ビアから前記間隙を通って、前記第２の平面導電素子の下へと延在する経路を有する。前記第２の平面導電素子は前記マイクロストリップ送電線に対する基準面を提供する。
【０００５】
他の実施形態も同様に開示する。
【０００６】
発明を例示する実施形態を図面に示す。
【図面の簡単な説明】
【０００７】
【図１】第１及び第２の平面導電素子を有し、これら平面導電素子の内の一方がスロットを備えると共にマイクロストリップ送電線に電気的に接続した、アンテナの第１の例示的な実施形態を示す図である。
【図２】第１及び第２の平面導電素子を有し、これら平面導電素子の内の一方がスロットを備えると共にマイクロストリップ送電線に電気的に接続した、アンテナの第１の例示的な実施形態を示す図である。
【図３】第１及び第２の平面導電素子を有し、これら平面導電素子の内の一方がスロットを備えると共にマイクロストリップ送電線に電気的に接続した、アンテナの第１の例示的な実施形態を示す図である。
【図４】図１から図３に示すアンテナに電気的に接続し得る例示的な同軸ケーブルの一部を示す。
【図５】図１から図３に示すアンテナに図４に示す同軸ケーブルを接続する一例を示す。
【図６】図１から図３に示すアンテナに図４に示す同軸ケーブルを接続する一例を示す。
【図７】図１から図３に示すアンテナに図４に示す同軸ケーブルを接続する一例を示す。
【図８】第１及び第２の平面導電素子を有し、これら平面導電素子の内の一方がスロットを備えると共にマイクロストリップ送電線に電気的に接続した、アンテナの第２の例示的な実施形態を示す図である。
【図９】第１及び第２の平面導電素子を有し、これら平面導電素子の内の一方がスロットを備えると共にマイクロストリップ送電線に電気的に接続した、アンテナの第２の例示的な実施形態を示す図である。
【発明を実施するための形態】
【０００８】
図中、別の図面に同一の（又は同様の）要素が存在する場合、それらには同じ参照番号を付して示す。
【０００９】
図１から図３は、アンテナ１００の第１の例示的な実施形態を示す。アンテナ１００は、第１の側１０４と第２の側１０６（図３参照）を有する誘電材料１０２を含む。第２の側１０６は第１の側１０４に対向する。一例として、誘電材料１０２はＦＲ４、プラスチック、ガラス、セラミック、又はシリカ若しくは炭化水素を含有するもの等の複合材料で製造し得る（又はこれらを含み得る）。誘電材料１０２の厚さは多様でよいが、一部の実施形態では０．０６０インチ（１．５２４ｍｍ）に等しい（又は略等しい）厚さとする。
【００１０】
第１の平面導電素子１０８及び第２の平面導電素子１１０（図１）は、誘電材料１０２の第１の側１０４に配置されている。第１の平面導電素子１０８は、一対のスロット１１２、１１４を有する。第１スロット１１４のスロット外周１１６は矩形である。第２スロット１１２のスロット外周１１８は、４つより多いエッジを有する（そして、複数の矩形のスロット片が重なり合うことによって画定されるスロットと考えることができる）。第１及び第２の平面導電素子１０８、１１０の各々は、第１の平面導電素子１０８を第２の平面導電素子１１０から電気的に絶縁する間隙１２０に隣接させて配置されている。一例として、第１及び第２の導電素子１０８、１１０の各々は金属製であり、銅、アルミニウム、又は金から製造し得る（又はこれらを含み得る）。一部の例では、第１及び第２の導電素子１０８、１１０は、例えばプリント基板の構成技術を用いて、誘電材料１０２上に印刷又はその他の方法で形成し得る。あるいは、例えば接着剤を用いて第１及び第２の導電素子１０８、１１０を誘電材料１０２に接着してもよい。
【００１１】
マイクロストリップ送電線１２２（図２）は、誘電材料１０２の第２の側１０６に配置されている。一例として、マイクロストリップ送電線１２２は、例えばプリント基板の構成技術を用いて誘電材料１０２上に印刷又はその他の方法で形成し得る。あるいは、例えば接着剤を用いてマイクロストリップ送電線を誘電材料１０２に接着してもよい。
【００１２】
誘電材料１０２は複数の導電性ビア（ビア１２４、１２６等）を有し、導電性ビア１２４、１２６の各々は、接続位置１２８において他の導電性ビアと近接配置されている。第１の平面導電素子１０８とマイクロストリップ送電線１２２はそれぞれ、複数の導電性ビア１２４、１２６と接続し、それによって相互に電気的に接続する。一例として、第１の平面導電素子１１０は、複数の導電性ビア１２４、１２６に直接電気的に接続するが、マイクロストリップ送電線１２２は、マイクロストリップ送電線１２２を複数の導電性ビア１２４、１２６と接続する矩形の導電性パッド１３０によって、複数の導電性ビア１２４、１２６に電気的に接続する。
【００１３】
図２に最も良く示されているように、マイクロストリップ送電線１２２は、複数の導電性ビア１２４、１２６から間隙１２０を通って（すなわち、間隙１２０を横切って）第２の平面導電素子１１０の下へ延在する経路を有する。このようにして、第２の平面導電素子１１０はマイクロストリップ送電線１２２に対する基準面を提供する。
【００１４】
第１の平面導電素子１０８は、第１の中心周波数を中心とする第１の周波数範囲にわたって共鳴できるような外形的特徴を有する。第２の平面導電素子１１０は、第２の中心周波数を中心とする第２の周波数範囲にわたって共鳴できるような外形的特徴を有する。第２の周波数範囲内の少なくとも一部の周波数は、第１の周波数範囲内の少なくとも一部の周波数とは異なる。これによって、動作中、第１及び第２の平面導電素子１０８、１１０は、異なる周波数の信号を受信できると共に、受信した信号に応答してマイクロストリップ送電線１２２に電圧を印加することができる（受信モード）。同様に、マイクロストリップ送電線１２２に接続された無線機は、無線機が送信モードで動作する１つ又は複数の周波数に応じて、第１の平面導電素子１０８、第２の平面導電素子１１０、又はこれら両方に電圧を印加し得る。
【００１５】
図１及び図２に示すように、第２の平面導電素子１１０はホール１３２を有する。誘電材料１０２はホール１３４を有する。一例として、ホール１３２、１３４は同心で丸いものとして示している。第２の平面導電素子１１０におけるホール１３２は誘電材料１０２におけるホール１３４より大きいので、誘電材料１０２の第１の側１０４は、誘電材料１０２のホール１３４に隣接した領域が露出している。
【００１６】
図４は、図５から図７に示すようにアンテナ１００に取り付け得る例示的な同軸ケーブル４００の一部を示す。同軸ケーブル４００（図４）は、中心導体４０２、導電性シース４０４、及び誘電体４０６を有し、該誘電体４０６は中心導体４０２を導電性シース４０４から分離する。同軸ケーブル４００はまた、外部誘電性ジャケット４０８を含んでいてもよい。中心導体４０２の一部分４１０は、導電性シース４０４及び誘電体４０６から延出している。同軸ケーブル４００をアンテナ１００の第１の側１０４に隣接させ、ホール１３２、１３４から中心導体４０２の一部分４１０を挿入することにより、同軸ケーブル４００をアンテナ１００に電気的に接続する（図５及び図７参照）。その後、例えば、マイクロストリップ送電線１２２に中心導体４０２の一部分４１０をはんだ付けする、ろう付けする、又は導電的に接着することによって、中心導体４０２をマイクロストリップ送電線１２２に電気的に接続する（図６及び図７参照）。同軸ケーブル４００の導電性シース４０４は、第２の平面導電素子１１０に（例えば上記と同様に導電性シース４０４を第２の平面導電素子１１０にはんだ付け、ろう付け、又は導電的接着することにより（図５及び図７参照））電気的に接続される。誘電材料１０２のホール１３４に隣接した誘電材料１０２の露出した環状部分は、同軸ケーブル４００の中心導体４０２が同軸ケーブル４００の導電性シールド４０４に短絡することを防止するという点で有用である。一部の実施形態では、同軸ケーブル４００は５０オーム（Ω）の同軸ケーブルとしてもよい。
【００１７】
アンテナ１００は、第１の平面導電素子１１２から第２の平面導電素子１１４まで延在する長さＬを有する。長さＬは間隙１２０を横断する。アンテナ１００はこの長さに垂直な幅Ｗを有する。同軸ケーブル４００は、アンテナ１００の幅に平行な経路を取る。同軸ケーブル４００は、その導電性シース４０４を第２の平面導電素子１１０に電気的に接続することによって、又はその中心導体４０２をマイクロストリップ送電線１２２に電気的に接続することによって、経路に沿って付勢される。
【００１８】
図１から図３、及び図５から図７に示すアンテナでは、マイクロストリップ送電線１２２の経路は、第２の平面導電素子１１４の下で方向を変える。より詳細には、マイクロストリップ送電線１２２の経路は、アンテナ１００の長さに平行に間隙１２０を横断し、その後方向を変えて、アンテナ１００の幅に平行に延在する。マイクロストリップ送電線１２２は概ね、複数の導電性ビア１２４、１２６から誘電材料１０２のホール１３４に隣接する終端点１３６まで延在し得る。
【００１９】
前述のように、第１の平面導電素子１０８は第１の中心周波数を中心とする第１の周波数範囲にわたって共鳴できるような外形的特徴を有する。第１の周波数範囲の中心周波数と帯域幅は、第１の平面導電素子１０８の外周１４０及びスロット１１２、１１４の外周１１６、１１８のいずれか一方（またはその両方）のサイズと形状を調整することによって設定することができる。第１の平面導電素子１０８の外周１４０と、そのスロット１１２、１１４の外周１１６、１１８は、複数の直線エッジを有するように図示しているが、これらエッジの一部又は全てを代替的に曲線としてもよく、あるいは、外周１４０、１１６、１１８の１つ以上を連続した曲線形状としてもよい。第１の周波数範囲の中心周波数と帯域幅はまた、スロット１１２、１１４の相対的な位置及び関係、又はこれらスロットの第１の平面導電素子１０８に対する位置及び関係を調整することによって、設定することもできる。
【００２０】
さらに、前述のように、第２の平面導電素子１１０は、第２の中心周波数を中心とする第２の周波数範囲にわたって共鳴できるような外形的特徴を有する。第２の周波数範囲の中心周波数と帯域幅は、第２の平面導電素子１１０の外周１４２のサイズと形状を調整することによって設定することができる。第２の平面導電素子１１０の外周１４２は、複数の直線エッジを有するように示しているが、これらエッジの一部又は全てを代替的に曲線としてもよく、あるいは、第２の平面導電素子１１０の外周１４２を連続した曲線形状としてもよい。図１及び図５に示すように、第２の平面導電素子１１０の一部分１４４を角状としてもよい。
【００２１】
図１から図３、及び図５から図７に示すアンテナ１００の利点は、アンテナ１００が複数の周波数帯で動作すること、そしてアジマス方向に全方位性があり、小型で高利得であることである。一例として、図１から図３、及び図５から図７に示すアンテナ１００は、約７ミリメートル（７ｍｍ）の幅と約３８ｍｍの長さを有する形状因子で構成したものである。このような形状因子で、図１から図３、及び図５から図７に示すように構成した第１の平面導電素子１０８と第２の平面導電素子１１０を用いると、第１の平面導電素子１０８は、約３．３ギガヘルツ（ＧＨｚ）から３．８ＧＨｚの第１の周波数範囲で共鳴するよう構成され、第２の平面導電素子１１０は、約２．３ＧＨｚから２．７ＧＨｚの第２の周波数範囲で共鳴するよう構成された。従って、かかるアンテナは、一般に使用されている２．３ＧＨｚ、２．５ＧＨｚ、及び３．５ＧＨｚの中心周波数、又はこれら中心周波数付近で共鳴するＷｉＭＡＸ又はＬＴＥアンテナとして動作することができる。
【００２２】
図１から図３、及び図５から図７に示すアンテナ１００は、種々の目的で多様に変更可能である。例えば、第１の平面導電素子１０８の外周１４０と第２の平面導電素子１１０の外周１４２は、例えば図１、図２、図５、及び図６に示す形状よりエッジの数が多い又は少ない、エッジが直線若しくは曲線である、又は外周が連続した曲線である等、代替的な形状をとり得る。第１の平面導電素子１０８のスロット１１２、１１４の外周１１６、１１８もまた、図１、図２、図５、及び図６に示すものよりエッジの数が多い又は少ない、エッジが直線若しくは曲線である、又は外周が連続した曲線である等、代替的な形状をとり得る。一部の実施形態では、平面導電素子１０８、１１０のいずれか一方又は両方の形状、平面導電素子１０８、１１０の一部の形状、又は含まれるスロット１１２、１１４の形状は、１つ以上の矩形の導電片又はスロット片を相互接続することによって画定してもよい。一部の実施形態では、第１の平面導電素子１０８のスロットの数をより多く又はより少なくするよう変更してもよい。他の（又は同じ）実施形態において、第２の平面導電素子１１０のスロットの数を１つ以上とするよう変更してもよい。
【００２３】
図１から図６に示すアンテナ１００では、第１及び第２の平面導電素子１０８及び１１０がそれらの外形的特徴により、重複しない周波数範囲において共鳴できるようにされている。しかし一部の実施形態では、第１及び第２の導電素子が重複する周波数範囲において共鳴するようなサイズ及び形状とすることもできる。
【００２４】
一部の実施形態では、第２の平面導電素子１１０及び誘電材料１０２におけるホール１３２、１３４は、図１、図２、図５、及び図６に示すようなサイズ設定、位置決め、及び心合わせを行い得る。他の実施形態では、ホール１３２、１３４のサイズ設定、位置決め、又は心合わせを異なるように行ってもよい。本明細書中で定義するように「心合わせされた」ホールは、少なくとも部分的に重なり合うホールなので、心合わせしたホールを通して物体を挿入することが可能である。図１では、誘電材料１０２の第１の側１０４の、誘電材料１０２のホール１３４に隣接した部分が露出するようサイズ設定及び心合わせをしたホール１３２、１３４を示しているが、誘電材料１０２の第１の側１０４の、ホール１３４に隣接した部分を露出させる必要はない。
【００２５】
一部の実施形態では、図１、図２、図５、及び図６に示す複数の導電性ビア１２４、１２６の数をより多く又はより少なくしてもよい。一部の例では、複数の導電性ビア１２４、１２６が１つのみの導電性ビアからなる場合もある。接続位置１２８に設ける導電性ビア１２４、１２６の数に関わらず、矩形の導電性パッド１３０の代わりに、別の形状を有する導電性パッドを用いてもよい。あるいは、１つ以上の導電性ビア１２４、１２６をマイクロストリップ送電線１２２に直接（すなわち、パッド１３０を用いずに）電気的に接続させてもよい。
【００２６】
図１、図２、図５、及び図６において、一例として、第１の平面導電素子１０８と第２の平面導電素子１１０との間の間隙１２０は、均一な幅を有する矩形として示している。
【００２７】
本明細書に記載するように構成したアンテナの動作帯域は、連続していても非連続でもよい。一部の例では、それぞれの動作帯域は、標準的な動作帯域の一部若しくは全てをカバーしていてもよく、又は標準的な動作帯域を複数カバーしていてもよい。しかし、動作帯域の範囲を広げることは、場合によっては動作帯域の利得を小さくするおそれがあることに留意されたい。
【００２８】
図８及び図９は、図１から図３、及び図５から図７に示すアンテナ１００の変形８００を示しており、第２の平面導電素子８０２及び誘電材料８０４におけるホールと、ホールを貫通する同軸ケーブルが取り除かれている。マイクロストリップ送電線１２２を延長する、又は別の送電線（例えば別のマイクロストリップ送電線）を接続することで、マイクロストリップ送電線１２２を無線機８０６に電気的に接続させている。第２の平面導電素子８０４は、無線機８０６と共有するシステム又は局所接地等の地電位に接続してもよい。
【００２９】
場合によっては、無線機８０６をアンテナ８００と同じ誘電材料８０４上に搭載してもよい。追加の導電性ビア又は他の電気的接続要素の使用を避けるために、無線機８０６を、誘電材料８０４の第２の側８０８（すなわち、誘電材料８０４のマイクロストリップ送電線１２２と同じ側）に搭載してもよい。無線機８０６は集積回路を含み得る。
【図１】
2013527669.tif 000003
【図２】
2013527669.tif 000004
【図３】
2013527669.tif 000005
【図４】
2013527669.tif 000006
【図５】
2013527669.tif 000007
【図６】
2013527669.tif 000008
【図７】
2013527669.tif 000009
【図８】
2013527669.tif 000010
【図９】
2013527669.tif 000011
【国際調査報告】
2013527669.tif 000012
2013527669.tif 000013